(57)【要約】【課題】排水管と高架橋との間の距離を自由に調節することができ、かつ、温度変化による応力を緩和することができる排水管取付金具を提供する。【解決手段】排水管の外周を囲み支持する支持部材１０と、支持部材１０を間に挟んで配置され、支持部材１０を高架橋に対して配設する一対の配設部材２０とを備えている。配設部材２０は、一方向に伸長され、支持部材１０が固定されると共に、その固定位置が長さ方向において変更可能とされた伸長部２１と、この伸長部２１の一端部に設けられ、高架橋に取り付けられる取付部２２とを有している。【選択図】図１
2014098241.tif 000002
【特許請求の範囲】
【請求項１】
高架橋に排水管を固定する排水管取付金具であって、
排水管の外周を囲み支持する支持部材と、
前記支持部材を間に挟んで配置され、前記支持部材を高架橋に対して配設する一対の配設部材とを備え、
前記一対の配設部材は、一方向に伸長され、前記支持部材が固定されると共に、その固定位置が長さ方向において変更可能とされた伸長部と、この伸長部の一端部に設けられ、高架橋に取り付けられる取付部とをそれぞれ有する
ことを特徴とする排水管取付金具。
【請求項２】
前記伸長部には、前記支持部材を固定するための開口が長さ方向に伸長されて設けられ、前記伸長部の側部の少なくとも一部には、強度を補強するための補強部が設けられたことを特徴とする請求項１記載の排水管取付金具。
【請求項３】
前記伸長部は、第１伸長部と第２伸長部とを有し、第１伸長部と第２伸長部とを長さ方向において相対的に移動させることにより全体の長さが伸縮可能とされたことを特徴とする請求項１又は請求項２記載の排水管取付金具。
【発明の詳細な説明】
【技術分野】
【０００１】
本発明は、排水管を高架橋の橋台又は橋脚などに固定するための排水管取付金具に関する。
【背景技術】
【０００２】
高速道路等の高架橋には、高架橋上面の雨水等を下方に排水するための排水管が橋台から橋脚に沿って配設されている。排水管は、例えば、ポリ塩化ビニルなどのプラスチックにより構成されているが、ポリ塩化ビニルの熱膨張係数は、橋台及び橋脚を構成するコンクリートの約７倍であるため、温度変化による影響を受けやすい。そこで、排水管を橋台又は橋脚に固定する際には、例えば、排水管と橋台又は橋脚との間に所定の距離を開け、かつ、排水管取付金具を排水管の長さ方向に所定の間隔を開けて取り付けることにより、温度変化による排水管の歪みや撓みを吸収するようになっている。図６は、従来の排水管取付金具１０１の一構成例を表すものである。この排水管取付金具１０１は、排水管の外周に巻き付けて排水管を支持する支持部１１０と、支持部１１０を橋台又は橋脚から所定の距離を開けて橋台又は橋脚に取り付けるための配設部１２０とが一体的に形成されている。
【０００３】
しかし、従来の排水管取付金具は、取付場所により配設部１２０の長さ、すなわち、排水管と橋台又は橋脚との間の距離が異なっていた。そのため、経年による腐食劣化により排水管取付金具を取り換える際には、取り換える排水管取付金具の配設部１２０の長さに合わせて排水管取付金具をそれぞれ用意しなければならず、手間がかかるという問題があった。また、従来の排水管取付金具では、上述したように、ポリ塩化ビニルとコンクリートとの熱膨張係数の差が非常に大きいので、温度変化による応力を十分に逃がすことが難しいという問題もあった。
【先行技術文献】
【特許文献】
【０００４】
【特許文献１】特開２００２−２２０８１４号公報
【発明の概要】
【発明が解決しようとする課題】
【０００５】
本発明は、このような問題に基づきなされたものであり、排水管と高架橋との間の距離を自由に調節することができ、かつ、温度変化による応力を緩和することができる排水管取付金具を提供することを目的とする。
【０００６】
なお、特許文献１には、橋脚の排水管を取り付ける箇所に凹みを形成し、この凹みの底部に橋脚用金具を固定し、排水管の裏面に排水管用金具を固定し、この排水管用金具と橋脚用金具とを互いに係合することにより、排水管を橋脚に取り付ける取付構造が記載されている。しかし、特許文献１は排水管の露出を少なくし、橋脚の外観を向上させるためのものであり、本願発明とは具体的な構成及び効果が全く異なっている。
【課題を解決するための手段】
【０００７】
本発明の排水管取付金具は、高架橋に排水管を固定するものであって、排水管の外周を囲み支持する支持部材と、支持部材を間に挟んで配置され、支持部材を高架橋に対して配設する一対の配設部材とを備え、一対の配設部材は、一方向に伸長され、支持部材が固定されると共に、その固定位置が長さ方向において変更可能とされた伸長部と、この伸長部の一端部に設けられ、高架橋に取り付けられる取付部とをそれぞれ有するものである。
【発明の効果】
【０００８】
本発明の排水管取付金具によれば、支持部材の配設部材に対する固定位置を長さ方向において変更可能とするようにしたので、排水管と高架橋との間の距離を自由に設定することができる。よって、取付場所により長さの異なる排水管取付金具を用意する必要がなく、簡単に取り付けることができる。また、一対の配設部材の間に支持部材を挟み、支持部材を配設部材に固定して高架橋に配設するようにしたので、支持部材の固定位置と高架橋との間の距離が長くなり、配設部材の変形等により、温度変化による排水管の歪み及び撓みを吸収することができ、応力をより緩和することができる。更に、支持部材を一対の配設部材により２箇所で高架橋に対して固定するようにしたので、１箇所で固定する場合に比べて、安定してバランス良く固定することができる。
【０００９】
更にまた、伸長部の側部の少なくとも一部に、補強部を設けるようにすれば、強度を向上させることができ、排水管をより安定して固定することができる。
【００１０】
加えてまた、伸長部の長さを伸縮可能とすれば、排水管と高架橋との間の距離をより自由に設定することができると共に、排水管と高架橋との間の距離が短い時に、距離に合わせて配設部材の長さを短くし、配設部材が飛び出してしまうことを防止することができる。
【図面の簡単な説明】
【００１１】
【図１】本発明の第１の実施の形態に係る排水管取付金具の構成を表す図である。
【図２】図１に示した排水管取付金具を排水管に取り付けた状態を表す図である。
【図３】図１に示したＩ−Ｉ線に沿った断面構造を表す図である。
【図４】本発明の第２の実施の形態に係る排水管取付金具の伸長部の構成を表す図である。
【図５】（Ａ）は図４に示したＩＩ−ＩＩ線に沿った断面構造を表す図であり、（Ｂ）は図４に示したＩＩＩ−ＩＩＩ線に沿った断面構造を表す図である。
【図６】従来の排水管取付金具の構成を表す図である。
【発明を実施するための形態】
【００１２】
以下、本発明の実施の形態について図面を参照して詳細に説明する。
【００１３】
（第１の実施の形態）
図１は、本発明の第１の実施の形態に係る排水管取付金具１の構成を表すものである。図２は、排水管取付金具１を排水管２に取り付けた状態を表すものである。図３は、図１に示したＩ−Ｉ線に沿った断面構造を表すものである。この排水管取付金具１は、高架橋３に排水管２を固定するものであって、排水管２の外周を囲み支持する支持部材１０と、支持部材１０を間に挟んで配置され、支持部材１０を高架橋３に対して配設する一対の配設部材２０とを備えている。排水管取付金具１は、例えば、高架橋３の橋台又は橋脚に対して配設される。支持部材１０及び配設部材２０は、例えば、ステンレスにより構成することが好ましい。耐腐食性を向上させるためである。
【００１４】
支持部材１０は、例えば、排水管２の外周に沿って一方の半周側を覆うように配設される第１バンド部１１と、排水管２の外周に沿って他方の半周側を覆うように配設される第２バンド部１２とを有している。第１バンド部１１と第２バンド部１２とを合わせた内径の大きさは、排水管２の直径により異なるが、例えば、１５０ｍｍ又は２００ｍｍ程度である。第１バンド部１１及び第２バンド部１２の幅は、例えば、７５ｍｍから１００ｍｍ程度が好ましい。第１バンド部１１及び第２バンド部１２の両端部には、例えば、配設部材２０に対して固定するためのバンド固定部１３がそれぞれ設けられている。
【００１５】
バンド固定部１３には、例えば、第１バンド部１１及び第２バンド部１２の両端部から外側に向かって折り返され、外側に向かって突出された突出部１３Ａと、突出部１３Ａの先端部を配設部材２０に当接するように折り返した当接部１３Ｂとが設けられている。突出部１３Ａには、例えば、ボルト１４を通すための孔が形成されており、第１バンド部１１と第２バンド部１２とを排水管２の外周に配設し、対向する突出部１３Ａ同士をボルト１４とナット１５で固定することにより、排水管２を支持部材１０により支持することができるようになっている。また、当接部１３Ｂには、例えば、ボルト１６を通すための孔が形成されており、当接部１３Ｂを配設部材２０に対してボルト１６とナット１７で固定することができるようになっている。
【００１６】
配設部材２０は、例えば、一方向に伸長され、支持部材１０が固定されると共に、支持部材１０の固定位置が長さ方向において変更可能とされた伸長部２１と、この伸長部２１の一端部に設けられ、高架橋３に取り付けられる取付部２２とを有している。伸長部２１には、例えば、支持部材１０を固定するための開口２３が長さ方向に沿って伸長して設けられている。これにより、支持部材１０を伸長部２１の長さ方向における任意の位置で固定できるようになっている。伸長部２１の長さは、例えば、５０ｍｍから５００ｍｍ程度とすることが好ましい。強度を保持しつつ、排水管２を高架橋３から離して固定するためである。
【００１７】
伸長部２１の側部の少なくとも一部には、例えば、強度を補強するための補強部２４を設けることが好ましい。補強部２４は、例えば、伸長部２１の側部を折り曲げることにより形成されている。取付部２２は、例えば、伸長部２１の一端部において高架橋３に当接するように設けられている。取付部２２には、例えば、アンカーボルト２５を通すための孔が形成されており、アンカーボルト２５により高架橋３に固定することができるようになっている。
【００１８】
この排水管取付金具１は、例えば、次のようにして用いられる。まず、配設部材２０の取付部２２をアンカーボルト２５により高架橋３に固定する。次いで、排水管２の外周に第１バンド部１１及び第２バンド部１２を配設し、バンド固定部１３の突出部１３Ａ同士をボルト１４とナット１５で固定する。続いて、排水管２と高架橋３との間の距離に合わせて、配設部材２０の伸長部２１に対する支持部材１０の固定位置を調節し、ボルト１６及びナット１７により固定する。これにより、排水管２と高架橋３との間の距離に合わせて、任意の位置で排水管２を固定することができる。
【００１９】
このように本実施の形態によれば、支持部材１０の配設部材２０に対する固定位置を長さ方向において変更可能とするようにしたので、排水管２と高架橋３との間の距離を自由に設定することができる。よって、取付場所により長さの異なる排水管取付金具１を用意する必要がなく、簡単に取り付けることができる。また、一対の配設部材２０の間に支持部材１０を挟み、支持部材１０を配設部材２０に固定して高架橋３に配設するようにしたので、支持部材１０の固定位置と高架橋３との間の距離が長くなり、配設部材２０の変形等により、温度変化による排水管２の歪み及び撓みを吸収することができ、応力をより緩和することができる。更に、支持部材１０を一対の配設部材２０により２箇所で高架橋３に対して固定するようにしたので、１箇所で固定する場合に比べて、安定してバランス良く固定することができる。
【００２０】
更にまた、伸長部２１の側部の少なくとも一部に、補強部２４を設けるようにすれば、強度を向上させることができ、排水管２をより安定して固定することができる。
【００２１】
（第２の実施の形態）
図４は、本発明の第２の実施の形態に係る排水管取付金具の伸長部２５の構成を表すものである。図５（Ａ）は、図４に示したＩＩ−ＩＩ線に沿った断面構造を表すものであり、図４に示したＩＩＩ−ＩＩＩ線に沿った断面構造を表すものである。この排水管取付金具は、伸長部２１の構成が異なることを除き、他は第１の実施の形態と同一の構成を有している。
【００２２】
伸長部２１は、例えば、一方向にそれぞれ伸長された第１伸長部２１Ａと第２伸長部２１Ｂとを有しており、第１伸長部２１Ａと第２伸長部２１Ｂとを長さ方向において相対的に移動させることにより、伸長部２１の全体の長さが伸縮可能とされている。これにより、排水管２と高架橋３との間の距離に合わせて伸長部２１の長さを調節することができるようになっている。第２伸長部２１Ｂの一方の端部には、例えば、取付部２２が配設されており、第２伸長部２１Ｂの他方の端部側に第１伸長部２１Ａが配設されている。第１伸長部２１Ａの長さは、例えば、３５０ｍｍから５００ｍｍ程度が好ましく、第２伸長部２１Ｂの長さは、例えば、１００ｍｍから５００ｍｍ程度が好ましい。
【００２３】
第１伸長部２１Ａ及び第２伸長部２１Ｂには、第１の実施の形態と同様に、開口２３Ａ，２３Ｂが長さ方向に沿って伸長して設けられている。開口２３Ａ，２３Ｂは、例えば、支持部材１０を固定する際に利用されると共に、第１伸長部２１Ａと第２伸長部２１Ｂとを固定する際にも利用される。第１伸長部２１Ａと第２伸長部２１Ｂとは、例えば、重ね合わせて長さを調節したのち、ボルト２６とナット２７により固定されるようになっている。第１伸長部２１Ａ及び第２伸長部２１Ｂの側部の少なくとも一部には、第１の実施の形態と同様に、強度を補強するための補強部２４Ａ，２４Ｂが設けられることが好ましい。
【００２４】
このように本実施の形態によれば、伸長部２１の長さを伸縮可能とするようにしたので、排水管２と高架橋３との間の距離をより自由に設定することができると共に、排水管２と高架橋３との間の距離が短い時に、距離に合わせて配設部材２０の長さを短くし、配設部材２０が飛び出してしまうことを防止することができる。
【００２５】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２６】
排水管の取り付けに用いることができる。
【符号の説明】
【００２７】
１…排水管取付金具、２…排水管、３…高架橋、１０…支持部材、１１…第１バンド部、１２…第２バンド部、１３…バンド固定部、１３Ａ…突出部、１３Ｂ…当接部、１４…ボルト、１５…ナット、１６…ボルト、１７…ナット、２０…配設部材、２１…伸長部、２１Ａ…第１伸長部、２１Ｂ…第２伸長部、２２…取付部、２３，２３Ａ，２３Ｂ…開口、２４，２４Ａ，２４Ｂ…補強部、２５…アンカーボルト、２６…ボルト、２７…ナット
【図１】
2014098241.tif 000003
【図２】
2014098241.tif 000004
【図３】
2014098241.tif 000005
【図４】
2014098241.tif 000006
【図５】
2014098241.tif 000007
【図６】
2014098241.tif 000008